(57)【要約】流体スプレーヘッド  流体スプレーヘッドであって、スプレー開口部（１）と前記スプレーヘッドの端部壁に形成されたスプレープロフィール（１０）とが設けられた放出チャネル（５）を有し、前記スプレープロフィール（１０）は好ましい構成として非放射状スプレーチャネル（１１）を有し、当該非放射状スプレーチャネルは、前記スプレー開口部（１）のすぐ上流に配置された中央スプレーチャンバ（１２）に開いており、前記放出チャネル（５）の中にはインサート（２０）が配置され、前記スプレープロフィール（１０）のカバーを形成しており、前記インサート（２０）の中心軸（X）は前記放出チャネル（５）の中心軸（Y）とほぼ一致しており、前記スプレーヘッドは前記インサート（２０）を中心に置くための中心決め手段を有する、というスプレーヘッド。
2007501700.tif 000002
【特許請求の範囲】
【請求項１】
流体スプレーヘッドであって、
スプレー開口部（１）と前記スプレーヘッドの端部壁に形成されたスプレープロフィール（１０）とが設けられた放出チャネル（５）を有し、前記スプレープロフィール（１０）は好ましい構成として非放射状スプレーチャネル（１１）を有し、当該非放射状スプレーチャネルは、前記スプレー開口部（１）のすぐ上流に配置された中央スプレーチャンバ（１２）に開いており、前記放出チャネル（５）の中にはインサート（２０）が配置され、前記スプレープロフィール（１０）のカバーを形成しており、
特徴となるのは、
前記インサート（２０）の中心軸（X）は前記放出チャネル（５）の中心軸（Y）とほぼ一致しており、前記スプレーヘッドは前記インサート（２０）を中心に置くための中心決め手段を有することである、
というスプレーヘッド。
【請求項２】
前記放出チャネル（５）は、前記インサート（２０）を中心に置くための前記中心決め手段を有すること、
を特徴とする請求項１に記載のヘッド。
【請求項３】
前記中心決め手段は、突起部分（３０）を少なくとも１つ、好ましい構成として３つ有し、当該突起部分によって形作られる内接円の直径は、インサート（２０）の直径とほぼ同一であること、
を特徴とする請求項２に記載のヘッド。
【請求項４】
放出チャネル（５）は３つの平面部（３０）を有し、これら平面部は前記チャネルの周囲に対称的な形で分布しており、当該平面部（３０）は前記インサート（２０）と協働して当該インサートが前記放出チャネル（５）に対し中心にくるようにすること、
を特徴とする請求項３に記載のヘッド。
【請求項５】
スプレーチャネル（１１）への放出チャネル（５）のアクセスは、前記突起部分同士の間に形成されていること、
を特徴とする請求項３または４に記載のヘッド。
【請求項６】
前記インサート（２０）の中心軸（X）は放出チャネル（５）の中心軸（Y）からずれており、当該ずれの距離は０．０８mm未満であって、好ましくは０．０３mm未満であること、
を特徴とする請求項１乃至５のいずれかに記載のヘッド。
【請求項７】
前記スプレーチャンバ（１２）の直径は１mmであること、
を特徴とする請求項１乃至６のいずれかに記載のヘッド。
【請求項８】
前記スプレー開口部（１）の直径は０．３mmであること、
を特徴とする請求項１乃至７のいずれかに記載のヘッド。
【請求項９】
共通の鋳型キャビティで製造されたスプレーヘッドのセットであって、
特徴となるのは、
前記ヘッドは請求項１乃至８のいずれかにより作られていることである、
というセット。
【請求項１０】
放出チャネル（５）の中心軸（Y）に対する前記インサート（２０）の中心軸（X）のずれに関する標準偏差は、共通の鋳型キャビティで作られたスプレーヘッド全てにおいて、０．０５mm未満であって、効果的な構成として０．０２mm未満であること、
を特徴とする請求項９に記載のセット。
【請求項１１】
請求項１乃至８のいずれかによるスプレーヘッドを有すること、
を特徴とする流体ディスペンサ装置。
【発明の詳細な説明】
【技術分野】
【０００１】
本発明は、流体スプレーヘッドに関する。
【背景技術】
【０００２】
流体ディスペンサヘッドは、特に薬品の分野において公知である。細粒スプレーを投与するため、一般的に、ヘッドはスプレー開口部のすぐ上流に配置されたスプレープロフィールを有する。スプレープロフィールは、外付け用の外部ノズルとして知られる外部取り付け部品により形成される。このことは、特許US−３ ６２５ ４３７号、EP−０ ９０６ ７８５号、FR−１ ３５５ ３５０号、そしてEP−０ ４１２ ５２４号の文書で説明されている。この解決方法には重大な問題が見られる。それは、使用中、前記ノズルが押し出される危険がある、というものである。この問題点を緩和するため、インサートを用いてスプレープロフィールをつくり、当該インサートをヘッドの内側を通る形で当該ヘッドに挿入し、当該インサートは前記スプレープロフィールの端部壁を形成しデッドボリュームを制限している、という形にすることが提案されている。スプレー特性、特に液滴のサイズ分布とそうした特性の再現性は、前記スプレープロフィールの形状によるところが大きい。ヘッド成形中の製造誤差により、特に医薬品の流体ディスペンサ装置の殆どにおいて、性能が必ずしも一定でないことがわかった。具体的に言えば、製造誤差により、インサートの開口部の中心軸がスプレーチャンバの中心軸からずれてしまう。こうしたずれによって、図２において示すようにスプレープロフィールが非対称的となり、非放射状チャネルのうち１つへと通じるアクセスが実際には塞がれる可能性がある。結果、流体が渦巻いてスプレーチャンバの中に入ることが困難になり、スプレーの性能と特性とは悪影響を受ける。軸のこうしたずれは無視できないものとなり、特にヘッド同士の間で大きく異なる可能性がある。これにより、一定のスプレー特性は実現されにくくなる。
【発明の開示】
【発明が解決しようとする課題】
【０００３】
本発明は、上記の問題を生じない流体スプレーヘッドを提供することを目的とする。
さらに具体的に言えば、本発明は、安全かつ信頼性があり、共通の鋳型キャビティから作られたヘッド全てが一定かつ再現可能な流体スプレーの特性と性能とを有する、という流体スプレーヘッドを提供することを目的とする。
さらに、本発明は、製造および組み立てが簡単かつ低コストな流体スプレーヘッドを提供することを目的とする。
【課題を解決するための手段】
【０００４】
このため、本発明は、流体スプレーヘッドであって、スプレー開口部と前記スプレーヘッドの端部壁に形成されたスプレープロフィールとが設けられた放出チャネルを有し、前記スプレープロフィールは好ましい構成として非放射状スプレーチャネルを有し、当該非放射状スプレーチャネルは、前記スプレー開口部のすぐ上流に配置された中央スプレーチャンバに開いており、前記放出チャネルの中にはインサートが配置され、前記スプレープロフィールのカバーを形成しており、前記インサートの中心軸は前記放出チャネルの中心軸とほぼ一致しており、前記スプレーヘッドは前記インサートを中心に置くための中心決め手段を有する、というスプレーヘッドを提供する。
【発明の効果】
【０００５】
効果的な構成として、前記放出チャネルは、前記インサートを中心に置くための前記中心決め手段を有することとする。
効果的な構成として、前記中心決め手段は、突起部分を少なくとも１つ、好ましい構成として３つ有し、当該突起部分によって形作られる内接円の直径は、インサートの直径とほぼ同一であることとする。
【０００６】
効果的な構成として、放出チャネルは３つの平面部を有し、これら平面部は前記チャネルの周囲に対称的な形で分布しており、当該平面部は前記インサートと協働して当該インサートが前記放出チャネルに対し中心にくるようにすることとする。
効果的な構成として、スプレーチャネルへの放出チャネルのアクセスは、前記突起部分同士の間に形成されていることとする。
【０００７】
効果的な構成として、前記インサートの中心軸は放出チャネルの中心軸からずれており、当該ずれの距離は０．０８mm未満であって、好ましくは０．０３mm未満であることとする。
効果的な構成として、前記スプレーチャンバの直径は１mmであることとする。
効果的な構成として、前記スプレー開口部の直径は０．３mmであることとする。
【０００８】
さらに、本発明は、共通の鋳型キャビティで製造されたスプレーヘッドのセットであって、当該ヘッドは上述したとおり作られている、というセットを提供する。
効果的な構成として、放出チャネルの中心軸に対する前記インサートの中心軸のずれに関する標準偏差は、共通の鋳型キャビティで作られたスプレーヘッド全てにおいて、０．０５mm未満であって、効果的な構成として０．０２mm未満であることとする。
【０００９】
さらに、本発明は、上述したスプレーヘッドを有する流体ディスペンサ装置を提供する。
【発明を実施するための最良の形態】
【００１０】
本発明の他の特徴と効果とに関しては、添付図面を参照しながら、非限定的な例として示す以下の本発明の効果的な実施の形態についての詳細な説明を読めば、さらに明らかになるだろう。
本発明は、あらゆる種類の流体スプレーヘッドに適用できる。しかし、ここでは、細長いヘッド（たとえば、ヘッドの軸に沿って方向づけられたスプレー開口部を有する鼻用ディスペンサヘッド）を参照しながら説明を行う。当然のことながら、本発明は、いかなる種類のヘッド（具体的には、スプレーが横方向に投与されるヘッド）にも適用できる。
【００１１】
本発明において、流体スプレーヘッドは放出チャネル５を有し、当該放出チャネルには、スプレー開口部１と当該スプレー開口部１より上流に配置されたスプレープロフィール１０とが設けられている。スプレープロフィール１０は放出チャネルの端部壁に形成されており、公知の様態においては、好ましい構成として非放射状スプレーチャネル１１を有し、当該非放射状スプレーチャネルは、前記スプレー開口部１よりすぐ上流に配置された中央スプレーチャンバ１２に通じている。チャネルの数は、図１において示されるように３つとすることができるが、他の何らかの形を考えることもできる。前記放出チャネル５には、好ましい構成として硬くロッドのようなシンプルな形状をしたインサート２０が設けられ、デッドボリュームを制限し、前記スプレープロフィール１０のカバーを形成している。インサート２０は、ヘッドの内部を通る形で挿入され、内部ノズルを形成している。この内部ノズルは、ヘッドの外側に固定される外部ノズルとは対照的に、装置の駆動中に押し出される危険がない。したがって流体は、放出チャネル５に沿って、アクセス１５を介して前記インサートの周囲を流れて、前記インサート前面の前方にある非放射状チャネル１１に達する。それから流体は、渦を巻いてスプレーチャンバ１２の中に入り、その後スプレー開口部１を通ってスプレーの形で放出される。このように、本発明の装置は、２つの部分、すなわち、ヘッドを形成する外側部分およびインサートを形成する内側部分のみで形成されている、という形になっている。
【００１２】
本発明の特徴となるのは、可能な限り、前記インサート２０の中心軸Xは放出チャネル５の中心軸Yと一致している、ということである。
そのために、インサート２０用の中心決め手段が設けられている。好ましい構成として、中心決め手段は、前記スプレープロフィール１０の近傍で、放出チャネル５の中に形成されている。これら中心決め手段は、１つまたは複数の突起部分で成り、当該突起部分はインサート２０と協働し当該インサートを中心に置く、とすることができる。図３に示すのは、１つの効果的な実施の形態である。この実施の形態において、放出チャネル５は３つの平面部３０を有し、当該平面部はチャネルの周囲に均等に分布している。突起部分は内接円を規定しており、当該内接円の直径はインサート２０の直径にほぼ一致する。インサート２０の組み入れ中、このように、スプレープロフィール１０の非放射状チャネル１１へのアクセス１５同士の間に平面部３０がくるようにすれば、図２に示す従来技術のヘッドのようにインサート２０がアクセス１５のうち１つを閉じてしまう、という事態は防止される。平面部を、たとえば凸形または凹形の突起部（例として、円弧、さらにはチャネルの周囲に分布する複数の突起）といった別のプロフィールに変更してもよい。インサート２０は中心に置かれているため、流体は３つのチャネル１１をほぼ均等な形で流れ、性能（液滴の平均サイズおよび液滴のサイズ分布）と一定性（あらゆるヘッドの性能の再現性）との両方の点において最適なスプレー特性を有する効果的なスプレーが作られる。当然のことながら、放出チャネル５とインサート２０との製造誤差により、軸Xと軸Yとの間にわずかなずれが生じる可能性があるが、平面部３０のおかげでこうしたずれを制限することができる。こうしたずれは、効果的な構成として０．０８mmより小さく、０．０３mmより小さいことが好ましい。さらに、本発明によれば、共通の鋳型キャビティで作られたスプレーヘッドには、放出チャネルの中心軸Yに対するインサート２０の中心軸Xのずれに関した標準偏差が見られるが、この標準偏差は０．０５mmより小さく、０．０２mmより小さいことが好ましい。この比較的小さなずれの値と現在あるものの標準偏位よりはるかに小さな標準偏位とにより、スプレーの品質を向上させることができる。
特に効果的な１つの実施の形態は、スプレーチャンバ１２の直径がほぼ１mm、スプレー開口部１の直径がほぼ０．３mmである、というディスペンサヘッドに関する。
【００１３】
このように、本発明によれば、流体ディスペンサヘッドから投与されるスプレーの特性と性能とを改良し、さらに、それら特性の一定性を向上させる、という形で流体ディスペンサヘッドを改良することができる。
ここまで、本発明について、その特定の実施の形態を参照しながら説明してきたが、明らかなように、本発明は前記実施の形態により限定されるものではない。それどころか、当業者であれば、本特許請求の範囲によって規定される本発明の範囲を逸脱しない形で、本発明に全ての有用な変更を施すことが可能である。
【図面の簡単な説明】
【００１４】
【図１】本発明のディスペンサヘッドのスプレープロフィールの水平断面における概略図である。
【図２】先行技術によるスプレーヘッドの放出チャネルの水平断面における概略図である。
【図３】本発明の実施の形態を構成するスプレーヘッドの放出チャネルの水平断面における概略図である。
【図１】
2007501700.tif 000003
【図２】
2007501700.tif 000004
【図３】
2007501700.tif 000005
【手続補正書】
【提出日】平成17年6月8日(2005.6.8)
【手続補正１】
【補正対象書類名】特許請求の範囲
【補正対象項目名】全文
【補正方法】変更
【補正の内容】
【特許請求の範囲】
【請求項１】
流体スプレーヘッドであって、
スプレー開口部（１）と前記スプレーヘッドの端部壁に形成されたスプレープロフィール（１０）とが設けられた放出チャネル（５）を有し、前記スプレープロフィール（１０）は好ましい構成として非放射状スプレーチャネル（１１）を有し、当該非放射状スプレーチャネルは、前記スプレー開口部（１）のすぐ上流に配置された中央スプレーチャンバ（１２）に開いており、前記放出チャネル（５）の中にはインサート（２０）が配置され、前記スプレープロフィール（１０）のカバーを形成しており、前記インサート（２０）の中心軸（X）は前記放出チャネル（５）の中心軸（Y）とほぼ一致しており、前記スプレーヘッドは前記インサート（２０）を中心に置くための中心決め手段を有し、
特徴となるのは、
前記放出チャネル（５）は、前記インサート（２０）を中心に置くための前記中心決め手段を有し、当該中心決め手段はスプレープロフィール（１０）の近傍に形成されていることである、
というスプレーヘッド。
【請求項２】
前記中心決め手段は、突起部分（３０）を少なくとも１つ、好ましい構成として３つ有し、当該突起部分によって形作られる内接円の直径は、インサート（２０）の直径とほぼ同一であること、
を特徴とする請求項１に記載のヘッド。
【請求項３】
放出チャネル（５）は３つの平面部（３０）を有し、これら平面部は前記チャネルの周囲に対称的な形で分布しており、当該平面部（３０）は前記インサート（２０）と協働して当該インサートが前記放出チャネル（５）に対し中心にくるようにすること、
を特徴とする請求項２に記載のヘッド。
【請求項４】
スプレーチャネル（１１）への放出チャネル（５）のアクセスは、前記突起部分同士の間に形成されていること、
を特徴とする請求項２または３に記載のヘッド。
【請求項５】
前記インサート（２０）の中心軸（X）は放出チャネル（５）の中心軸（Y）からずれており、当該ずれの距離は０．０８mm未満であって、好ましくは０．０３mm未満であること、
を特徴とする請求項１乃至４のいずれかに記載のヘッド。
【請求項６】
前記スプレーチャンバ（１２）の直径は１mmであること、
を特徴とする請求項１乃至５のいずれかに記載のヘッド。
【請求項７】
前記スプレー開口部（１）の直径は０．３mmであること、
を特徴とする請求項１乃至６のいずれかに記載のヘッド。
【請求項８】
共通の鋳型キャビティで製造されたスプレーヘッドのセットであって、
特徴となるのは、
前記ヘッドは請求項１乃至７のいずれかにより作られていることである、
というセット。
【請求項９】
放出チャネル（５）の中心軸（Y）に対する前記インサート（２０）の中心軸（X）のずれに関する標準偏差は、共通の鋳型キャビティで作られたスプレーヘッド全てにおいて、０．０５mm未満であって、効果的な構成として０．０２mm未満であること、
を特徴とする請求項８に記載のセット。
【請求項１０】
請求項１乃至７のいずれかによるスプレーヘッドを有すること、
を特徴とする流体ディスペンサ装置。
【国際調査報告】
2007501700.tif 000006
2007501700.tif 000007
2007501700.tif 000008
2007501700.tif 000009
2007501700.tif 000010
2007501700.tif 000011